(57)【要約】      （修正有）【課題】信号線を迅速、安定的に挿入して接続することができるアダプターである端子台を提供する。【解決手段】端子台はプラスチック台体１０、固定ネジ２０、挟枠４０、導電板を備え、端子台内には信号線５０の環状の端子５１を貫通する固定ネジ２０或いは導電板下方に設置する押止柱などの構造体を設置し、固定ネジ２０が旋回し、内部の挟枠４０を上方へと持ち上げると、押止柱は環状端子５１を貫通し、しかも挟んで固定し、こうして信号線５０をより堅固で安定的に挟持することができる。【選択図】図１
0003160165.tif 000002
【実用新案登録請求の範囲】
【請求項１】
少なくともプラスチック台体、固定ネジ、挟枠、導電板を備え、
前記プラスチック台体の上方には、少なくとも１個のネジ孔を設置し、後方には、１個の側孔を設置し、前方には、信号線を挿入するための１個の挿入孔を設置し、下方には、比較的広い１個の収容設置室を設置し、
前記収容設置室と前記ネジ孔との間には、当接壁を形成し、
前記固定ネジは、末端に突出した押止柱を設置し、前記固定ネジは、前記ネジ孔から前記当接壁を貫通し、前記収容設置中に進入し、
前記挟枠は、本体の上、下端に各１個の固定孔を備える頂点板、底板をそれぞれ設置し、前記固定ネジの末端は、前記挟枠頂点部の固定孔に入り、しかも前記ネジ孔内において旋回すると、前記挟枠は上方或いは下方へと移動し、
前記導電板の一端は、前記台体の側孔から、前記挟枠内へと進入し、前記固定ネジは、前記押止柱により、前記導電板の貫通孔を貫通し、しかも前記導電板下方と前記挟枠の底部との間は、前記台体の挿入孔とちょうど対応することを特徴とする端子台。
【請求項２】
前記台体のネジ孔、側孔、挿入孔、収容設置室の数は同一であることを特徴とする請求項１に記載の端子台。
【請求項３】
前記挟枠は、コの字が伏せたような形状を呈することを特徴とする請求項１に記載の端子台。
【請求項４】
少なくともプラスチック台体、固定ネジ、挟枠、導電板を備え、
前記プラスチック台体の上方には、少なくとも１個のネジ孔を設置し、後方には、１個の側孔を設置し、前方には、信号線を挿入するための１個の挿入孔を設置し、下方には、比較的広い１個の収容設置室を設置し、
前記収容設置室と前記ネジ孔との間には、当接壁を形成し、
前記固定ネジは、前記ネジ孔から前記当接壁を貫通し、前記収容設置中に進入し、
前記挟枠は、本体の上、下端に各１個の固定孔を備える頂点板、底板をそれぞれ設置し、前記固定ネジの端部は、前記挟枠頂点部の固定孔に入り、しかも前記ネジ孔内において旋回すると、前記挟枠は上方或いは下方へと移動し、
前記導電板の一端の下方には、押止柱を設置し、前記端により、前記台体の側孔に進入し、前記挟枠内に位置し、前記固定ネジは、端部により、前記導電板に接触し、
前記導電板下方の押止柱と前記挟枠との間は、前記台体の挿入孔とちょうど対応することを特徴とする端子台。
【請求項５】
前記台体のネジ孔、側孔、挿入孔、収容設置室の数は同一であることを特徴とする請求項４に記載の端子台。
【請求項６】
前記挟枠は、コの字が伏せたような形状を呈することを特徴とする請求項４に記載の端子台。
【考案の詳細な説明】
【技術分野】
【０００１】
本考案は端子台に関し、特に信号線を迅速、安定的に挿入して接続することができるアダプターである端子台に関する。
【背景技術】
【０００２】
端子台は、いくつもの電源(信号)線を接続し制御するもので、広く普及している電子パーツである。その応用範囲は非常に広いが、実際に常用されている端子台の応用が、十分に広がっているとはいえない。
【０００３】
図５、６に示すように、従来の端子台は、プラスチック台体８０を備える。台体８０の上方には、多数のネジ孔８１を設置し、後方には、多数の側孔８２を設置し、前方には、信号線５０を挿入するための多数の挿入孔８３を設置し、下方には、比較的広い多数の収容設置室８４を設置する。ネジ孔８１、側孔８２、挿入孔８３、収容設置室８４の数は同一であるが、実際の必要に応じて、増減させることができる。
【０００４】
複数の固定ネジ９０は、台体８０のネジ孔８１を貫通し、収容設置室８４中に進入し、収容設置室８４内側には、「コ」の字が伏せた形の挟枠９１を設置する。固定ネジ９０の末端は、挟枠９１の頂点部に入り、しかもネジ孔８１内のその場において旋回すると、挟枠９１は上方或いは下方へと移動する。
多数の導電板９２の一端は、回路板(図示なし)と相互に接続し、反対端は、台体８０の側孔８２から、挟枠９１内へと進入し、固定ネジ９０末端の下方に位置する。導電板９２下方と挟枠９１の底部との間は、台体８０の挿入孔８３とちょうど対応する。信号線５０の端子５１端が、挿入孔８３に進入すると、固定ネジ９０の旋回により、挟枠９１を上方へと移動させ、さらに導電板９２と挟枠９１の底部との間に、信号線５０の端子５１を挟んで固定する。こうして、信号(或いは電流)導通の目的を達成する。
【０００５】
しかし、信号線５０末端に配置する端子５１の多くは、図示のような環状を呈し、ドームのような「Y」端子もあり、さらにはスズめっきの裸銅線、或いは裸銅線をそのまま挿入して接続する場合もある。上記した内、後二者は、圧迫して変形させ、挟持を比較的安定させることができる。しかし、環状端子を備える多くの信号線５０は、一定の力で抜き取り、或いは挿入すると、緩んで脱落し易くなり、固定効果は不良である。そのため、不注意の接触で脱落する状況が発生し易く、しかもその状況をメンテナンス人員が外観から判断することは難しい。よって、信号導通の不良を引き起こし、回線に故障が出現し、しかも修理するためには、多くの回線を一つ一つ検査しなければならない。これでは、あまりにも難しく、時間と労力を無駄に費やし、人的資源の浪費である。
【考案の概要】
【考案が解決しようとする課題】
【０００６】
本考案が解決しようとする課題は、端子台内に信号線の環状の端子を貫通する固定ネジ或いは導電板下方に設置する押止柱などの構造体を設置し、固定ネジが旋回し、内部の挟枠を上方へと持ち上げると、押止柱は環状端子を貫通し、しかも挟んで固定し、こうして信号線をより堅固で安定的に挟持することができる端子台を提供することである。
【課題を解決するための手段】
【０００７】
上記課題を解決するため、本考案は下記の端子台を提供する。
端子台は、少なくともプラスチック台体、固定ネジ、挟枠、導電板を備え、
該プラスチック台体の上方には、少なくとも１個のネジ孔を設置し、後方には、１個の側孔を設置し、前方には、信号線を挿入するための１個の挿入孔を設置し、下方には、比較的広い１個の収容設置室を設置し、
該収容設置室と該ネジ孔との間には、当接壁を形成し、
該固定ネジは、末端に突出した押止柱を設置し、該固定ネジは、該ネジ孔から該当接壁を貫通し、該収容設置中に進入し、
該挟枠は、本体の上、下端に各１個の固定孔を備える頂点板、底板をそれぞれ設置し、該固定ネジの末端は、該挟枠頂点部の固定孔に入り、しかも該ネジ孔内において旋回すると、該挟枠は上方或いは下方へと移動し、
該導電板の一端は、該台体の側孔から、該挟枠内へと進入し、該固定ネジは、該押止柱により、該導電板の貫通孔を貫通し、しかも該導電板下方と該挟枠の底部との間は、該台体の挿入孔とちょうど対応し、
こうして、環状の端子を備える信号線を挿入孔に挿入すると、該固定ネジの旋回により、挟枠は上方へと移動し、該固定ネジの押止柱は信号線の環状端子を貫通することができ、さらに該導電板と該挟枠の底板とは、該信号線の端子を挟んで固定し、信号或いは電流導通の目的を達成し、
該端子中央は、該押止柱により貫通されるため、簡単に抜き取ることはできなくなり、こうしてさらに良好な安定性を実現する。
【０００８】
端子台は、プラスチック台体、固定ネジ、挟枠、導電板を備え、
該プラスチック台体の上方には、少なくとも１個のネジ孔を設置し、後方には、１個の側孔を設置し、前方には、信号線を挿入するための１個の挿入孔を設置し、下方には、比較的広い１個の収容設置室を設置し、
該収容設置室と該ネジ孔との間には、当接壁を形成し、
該固定ネジは、該ネジ孔から該当接壁を貫通し、該収容設置中に進入し、
該挟枠は、本体の上、下端に各１個の固定孔を備える頂点板、底板をそれぞれ設置し、該固定ネジの端部は、該挟枠頂点部の固定孔に入り、しかも該ネジ孔内において旋回すると、該挟枠は上方或いは下方へと移動し、
該導電板の一端の下方には、押止柱を設置し、該端により、該台体の側孔に進入し、該挟枠内に位置し、該固定ネジは、端部により、該導電板に接触し、
該導電板下方の押止柱と該挟枠との間は、該台体の挿入孔とちょうど対応し、
こうして、環状の端子を備える信号線を挿入孔に挿入すると、該固定ネジの旋回により、挟枠は上方へと移動し、該導電板下方の押止柱は信号線の環状端子を貫通することができ、該挟枠の底板と共に、該信号線の端子を挟んで固定し、信号或いは電流導通の目的を達成し、
該端子中央は、該押止柱により貫通されるため、簡単に抜き取ることはできなくなり、こうしてさらに良好な安定性を実現する。
【考案の効果】
【０００９】
本考案端子台は、端子台内に、信号線の環状の端子を貫通する固定ネジ或いは導電板下方に設置する押止柱などの構造体を設置し、固定ネジが旋回し、内部の挟枠を上方へと持ち上げると、押止柱は環状端子を貫通し、しかも挟んで固定し、こうして信号線をより堅固で安定的に挟持することができる。
【図面の簡単な説明】
【００１０】
【図１】本考案第一実施例の分解断面図である。
【図２】本考案第一実施例の組合せ断面図である。
【図３】本考案第二実施例の分解断面図である。
【図４】本考案第二実施例の組合せ断面図である。
【図５】従来の構造の模式図である。
【図６】従来の構造の組合せ断面図である。
【考案を実施するための形態】
【００１１】
図１、２に示すように、本考案の第一実施例は、プラスチック台体１０、固定ネジ２０、挟枠４０、導電板３０を備える。台体１０の上方には、少なくとも１個のネジ孔１１を設置し、後方には、１個の側孔１２を設置し、前方には、信号線５０を挿入するための１個の挿入孔１３を設置し、下方には、比較的広い１個の収容設置室１４を設置する。収容設置室１４とネジ孔１１との間には、当接壁１５を形成する。
台体１０のネジ孔１１、側孔１２、挿入孔１３、収容設置室１４の数は同一であるが、実際の必要に応じて、増減させることができる。
【００１２】
固定ネジ２０は、末端に突出した押止柱２１を設置する。固定ネジ２０は、ネジ孔１１から当接壁１５を貫通し、収容設置室１４中に進入する。
挟枠４０は、本体の上、下端に頂点板４１、底板４２をそれぞれ設置する。これにより、主構造はやや「コ」の字が伏せたような形状を呈し、しかも頂点板４１と底板４２上には共に、固定孔４３、４４を設置する。固定ネジ２０の末端は、挟枠４０頂点部の固定孔４３に入り、しかもネジ孔１１内において旋回すると、挟枠４０は上方或いは下方へと移動する。
【００１３】
導電板３０の一端は、回路板(図示なし)と相互に接続し、反対端には、貫通孔３１を設置し、台体１０の側孔１２から、挟枠４０内へと進入し、固定ネジ２０は、押止柱２１により、導電板３０の貫通孔３１を貫通する。導電板３０下方と挟枠４０の底部との間は、台体１０の挿入孔１３とちょうど対応する。よって、環状の端子５１を備える信号線５０端が、挿入孔１３に進入すると、固定ネジ２０の旋回により、挟枠４０を上方へと移動させる。これにより、固定ネジ２０の押止柱２１は、信号線５０の環状端子５１を貫通することができ、さらに導電板３０と挟枠４０の底板４２により、信号線５０の端子５１を挟んで固定する。こうして、信号(或いは電流)導通の目的を達成する。端子５１中央は、押止柱２１により貫通されるため、簡単には抜けなくなり、より安定、堅固となる。
【００１４】
図３、４に示すように、本考案の第二実施例は、プラスチック台体１０、固定ネジ７０、挟枠４００、導電板６０を備える。台体１０の上方には、少なくとも１個のネジ孔１１を設置し、後方には、１個の側孔１２を設置し、前方には、信号線５０を挿入するための１個の挿入孔１３を設置し、下方には、比較的広い１個の収容設置室１４を設置する。収容設置室１４とネジ孔１１との間には、当接壁１５を形成する。
台体１０のネジ孔１１、側孔１２、挿入孔１３、収容設置室１４の数は同一であるが、実際の必要に応じて、増減させることができる。
【００１５】
固定ネジ７０は、ネジ孔１１から当接壁１５を貫通し、収容設置室１４中に進入する。
挟枠４００は、本体の上、下端に頂点板４１０、底板４２０をそれぞれ設置する。これにより、主構造はやや「コ」の字が伏せたような形状を呈し、しかも頂点板４１０と底板４２０上には共に、固定孔４３０、４４０を設置する。固定ネジ７０の端部７１は、挟枠４００頂点部の固定孔４３０に入り、しかもネジ孔１１内において旋回すると、挟枠４００は上方或いは下方へと移動する。
【００１６】
導電板６０の一端は、回路板(図示なし)と相互に接続し、反対端の下方には、押止柱６１を設置する。導電板６０は、押止柱６１により、台体１０の側孔１２に進入し、挟枠４００に位置し、固定ネジ７０は、端部７１により、導電板６０に接触する。導電板６０下方の押止柱６１と挟枠４００との間は、台体１０の挿入孔１３とちょうど対応する。よって、環状の端子５１を備える信号線５０が、挿入孔１３に進入すると、固定ネジ７０の旋回により、挟枠４００を上方へと移動させる。これにより、導電板６０下方の押止柱６１は、信号線５０の環状端子５１を貫通することができ、さらに挟枠４００の底板４２０と共に、信号線５０の端子５１を挟んで固定する。こうして、信号(或いは電流)導通の目的を達成する。端子５１中央は、押止柱６１により貫通されるため、簡単には抜けなくなり、より安定、堅固となる。
【００１７】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００１８】
１０  台体
１１  ネジ孔
１２  側孔
１３  挿入孔
１４  収容設置室
１５  当接壁
２０  固定ネジ
２１  押止柱
３０  導電板
３１  貫通孔
４０  挟枠
４００  挟枠
４１  頂点板
４１０  頂点板
４２  底板
４２０  底板
４３  固定孔
４３０  固定孔
４４  固定孔
４４０  固定孔
５０  信号線
５１  端子
６０  導電板
６１  押止柱
７０  固定ネジ
７１  端部
８０  台体
８１  ネジ孔
８２  側孔
８３  挿入孔
８４  収容設置室
９０  固定ネジ
９１  挟枠
９２  導電板
【図１】
0003160165.tif 000003
【図２】
0003160165.tif 000004
【図３】
0003160165.tif 000005
【図４】
0003160165.tif 000006
【図５】
0003160165.tif 000007
【図６】
0003160165.tif 000008
【手続補正書】
【提出日】平成22年4月2日(2010.4.2)
【手続補正１】
【補正対象書類名】明細書
【補正対象項目名】全文
【補正方法】変更
【補正の内容】
【考案の詳細な説明】
【技術分野】
【０００１】
本考案は端子台に関し、特に信号線を迅速、安定的に挿入して接続することができるアダプターである端子台に関する。
【背景技術】
【０００２】
端子台は、いくつもの電源(信号)線を接続し制御するもので、広く普及している電子パーツである。その応用範囲は非常に広いが、実際に常用されている端子台の応用が、十分に広がっているとはいえない。
【０００３】
図５、６に示すように、従来の端子台は、プラスチック台体８０を備える。台体８０の上方には、多数のネジ孔８１を設置し、後方には、多数の側孔８２を設置し、前方には、信号線５０を挿入するための多数の挿入孔８３を設置し、下方には、比較的広い多数の収容設置室８４を設置する。ネジ孔８１、側孔８２、挿入孔８３、収容設置室８４の数は同一であるが、実際の必要に応じて、増減させることができる。
【０００４】
複数の固定ネジ９０は、台体８０のネジ孔８１を貫通し、収容設置室８４中に進入し、収容設置室８４内側には、「コ」の字が伏せた形の挟枠９１を設置する。固定ネジ９０の末端は、挟枠９１の頂点部に入り、しかもネジ孔８１内のその場において旋回すると、挟枠９１は上方或いは下方へと移動する。
多数の導電板９２の一端は、回路板(図示なし)と相互に接続し、反対端は、台体８０の側孔８２から、挟枠９１内へと進入し、固定ネジ９０末端の下方に位置する。導電板９２下方と挟枠９１の底部との間は、台体８０の挿入孔８３とちょうど対応する。信号線５０の端子５１端が、挿入孔８３に進入すると、固定ネジ９０の旋回により、挟枠９１を上方へと移動させ、さらに導電板９２と挟枠９１の底部との間に、信号線５０の端子５１を挟んで固定する。こうして、信号(或いは電流)導通の目的を達成する。
【０００５】
しかし、信号線５０末端に配置する端子５１の多くは、図示のような環状を呈し、ドームのような「Y」端子もあり、さらにはスズめっきの裸銅線、或いは裸銅線をそのまま挿入して接続する場合もある。上記した内、後二者は、圧迫して変形させ、挟持を比較的安定させることができる。しかし、環状端子を備える多くの信号線５０は、一定の力で抜き取り、或いは挿入すると、緩んで脱落し易くなり、固定効果は不良である。そのため、不注意の接触で脱落する状況が発生し易く、しかもその状況をメンテナンス人員が外観から判断することは難しい。よって、信号導通の不良を引き起こし、回線に故障が出現し、しかも修理するためには、多くの回線を一つ一つ検査しなければならない。これでは、あまりにも難しく、時間と労力を無駄に費やし、人的資源の浪費である。
【考案の概要】
【考案が解決しようとする課題】
【０００６】
本考案が解決しようとする課題は、端子台内に信号線の環状の端子を貫通する固定ネジ或いは導電板下方に設置する押止柱などの構造体を設置し、固定ネジが旋回し、内部の挟枠を上方へと持ち上げると、押止柱は環状端子を貫通し、しかも挟んで固定し、こうして信号線をより堅固で安定的に挟持することができる端子台を提供することである。
【課題を解決するための手段】
【０００７】
上記課題を解決するため、本考案は下記の端子台を提供する。
端子台は、少なくともプラスチック台体、固定ネジ、挟枠、導電板を備え、
該プラスチック台体の上方には、少なくとも１個のネジ孔を設置し、後方には、１個の側孔を設置し、前方には、信号線を挿入するための１個の挿入孔を設置し、下方には、比較的広い１個の収容設置室を設置し、
該収容設置室と該ネジ孔との間には、当接壁を形成し、
該固定ネジは、末端に突出した押止柱を設置し、該固定ネジは、該ネジ孔から該当接壁を貫通し、該収容設置室中に進入し、
該挟枠は、本体の上、下端に各１個の固定孔を備える上板、底板をそれぞれ設置し、該固定ネジの末端は、該挟枠の頂点部の固定孔に入り、しかも該ネジ孔内において旋回すると、該挟枠は上方或いは下方へと移動し、
該導電板の一端は、該台体の側孔から、該挟枠内へと進入し、該固定ネジは、該押止柱により、該導電板の貫通孔を貫通し、しかも該導電板下方と該挟枠の底部との間は、該台体の挿入孔とちょうど対応し、
こうして、環状の端子を備える信号線を挿入孔に挿入すると、該固定ネジの旋回により、挟枠は上方へと移動し、該固定ネジの押止柱は信号線の環状端子を貫通することができ、さらに該導電板と該挟枠の底板とは、該信号線の端子を挟んで固定し、信号或いは電流導通の目的を達成し、
該端子中央は、該押止柱により貫通されるため、簡単に抜き取ることはできなくなり、こうしてさらに良好な安定性を実現する。
【０００８】
端子台は、プラスチック台体、固定ネジ、挟枠、導電板を備え、
該プラスチック台体の上方には、少なくとも１個のネジ孔を設置し、後方には、１個の側孔を設置し、前方には、信号線を挿入するための１個の挿入孔を設置し、下方には、比較的広い１個の収容設置室を設置し、
該収容設置室と該ネジ孔との間には、当接壁を形成し、
該固定ネジは、該ネジ孔から該当接壁を貫通し、該収容設置室中に進入し、
該挟枠は、本体の上、下端に各１個の固定孔を備える上板、底板をそれぞれ設置し、
該固定ネジの端部は、該挟枠の頂点部の固定孔に入り、しかも該ネジ孔内において旋回すると、該挟枠は上方或いは下方へと移動し、
該導電板の一端の下方には、押止柱を設置し、該端により、該台体の側孔に進入し、該挟枠内に位置し、該固定ネジは、該導電板の一端により、該導電板に接触し、
該導電板下方の押止柱と該挟枠との間は、該台体の挿入孔とちょうど対応し、
こうして、環状の端子を備える信号線を挿入孔に挿入すると、該固定ネジの旋回により、挟枠は上方へと移動し、該導電板下方の押止柱は信号線の環状端子を貫通することができ、該挟枠の底板と共に、該信号線の端子を挟んで固定し、信号或いは電流導通の目的を達成し、
該端子中央は、該押止柱により貫通されるため、簡単に抜き取ることはできなくなり、こうしてさらに良好な安定性を実現する。
【考案の効果】
【０００９】
本考案端子台は、端子台内に、信号線の環状の端子を貫通する固定ネジ或いは導電板下方に設置する押止柱などの構造体を設置し、固定ネジが旋回し、内部の挟枠を上方へと持ち上げると、押止柱は環状端子を貫通し、しかも挟んで固定し、こうして信号線をより堅固で安定的に挟持することができる。
【図面の簡単な説明】
【００１０】
【図１】本考案第一実施例の分解断面図である。
【図２】本考案第一実施例の組合せ断面図である。
【図３】本考案第二実施例の分解断面図である。
【図４】本考案第二実施例の組合せ断面図である。
【図５】従来の構造の模式図である。
【図６】従来の構造の組合せ断面図である。
【考案を実施するための形態】
【００１１】
図１、２に示すように、本考案の第一実施例は、プラスチック台体１０、固定ネジ２０、挟枠４０、導電板３０を備える。台体１０の上方には、少なくとも１個のネジ孔１１を設置し、後方には、１個の側孔１２を設置し、前方には、信号線５０を挿入するための１個の挿入孔１３を設置し、下方には、比較的広い１個の収容設置室１４を設置する。収容設置室１４とネジ孔１１との間には、当接壁１５を形成する。
台体１０のネジ孔１１、側孔１２、挿入孔１３、収容設置室１４の数は同一であるが、実際の必要に応じて、増減させることができる。
【００１２】
固定ネジ２０は、末端に突出した押止柱２１を設置する。固定ネジ２０は、ネジ孔１１から当接壁１５を貫通し、収容設置室１４中に進入する。
挟枠４０は、本体の上、下端に上板４１、底板４２をそれぞれ設置する。これにより、主構造はやや「コ」の字が伏せたような形状を呈し、しかも上板４１と底板４２上には共に、固定孔４３、４４を設置する。固定ネジ２０の末端は、挟枠４０の頂点部の固定孔４３に入り、しかもネジ孔１１内において旋回すると、挟枠４０は上方或いは下方へと移動する。
【００１３】
導電板３０の一端は、回路板(図示なし)と相互に接続し、反対端には、貫通孔３１を設置し、台体１０の側孔１２から、挟枠４０内へと進入し、固定ネジ２０は、押止柱２１により、導電板３０の貫通孔３１を貫通する。導電板３０の下方と挟枠４０の底部との間は、台体１０の挿入孔１３とちょうど対応する。よって、環状の端子５１を備える信号線５０端が、挿入孔１３に進入すると、固定ネジ２０の旋回により、挟枠４０を上方へと移動させる。これにより、固定ネジ２０の押止柱２１は、信号線５０の環状端子５１を貫通することができ、さらに導電板３０と挟枠４０の底板４２により、信号線５０の端子５１を挟んで固定する。こうして、信号(或いは電流)導通の目的を達成する。端子５１中央は、押止柱２１により貫通されるため、簡単には抜けなくなり、より安定、堅固となる。
【００１４】
図３、４に示すように、本考案の第二実施例は、プラスチック台体１０、固定ネジ７０、挟枠４００、導電板６０を備える。台体１０の上方には、少なくとも１個のネジ孔１１を設置し、後方には、１個の側孔１２を設置し、前方には、信号線５０を挿入するための１個の挿入孔１３を設置し、下方には、比較的広い１個の収容設置室１４を設置する。収容設置室１４とネジ孔１１との間には、当接壁１５を形成する。
台体１０のネジ孔１１、側孔１２、挿入孔１３、収容設置室１４の数は同一であるが、実際の必要に応じて、増減させることができる。
【００１５】
固定ネジ７０は、ネジ孔１１から当接壁１５を貫通し、収容設置室１４中に進入する。
挟枠４００は、本体の上、下端に上板４１０、底板４２０をそれぞれ設置する。これにより、主構造はやや「コ」の字が伏せたような形状を呈し、しかも上板４１０と底板４２０上には共に、固定孔４３０、４４０を設置する。固定ネジ７０の端部７１は、挟枠４００の頂点部の固定孔４３０に入り、しかもネジ孔１１内において旋回すると、挟枠４００は上方或いは下方へと移動する。
【００１６】
導電板６０の一端は、回路板(図示なし)と相互に接続し、反対端の下方には、押止柱６１を設置する。導電板６０は、押止柱６１により、台体１０の側孔１２に進入し、挟枠４００に位置し、固定ネジ７０は、端部７１により、導電板６０に接触する。導電板６０の下方の押止柱６１と挟枠４００との間は、台体１０の挿入孔１３とちょうど対応する。よって、環状の端子５１を備える信号線５０が、挿入孔１３に進入すると、固定ネジ７０の旋回により、挟枠４００を上方へと移動させる。これにより、導電板６０の下方の押止柱６１は、信号線５０の環状端子５１を貫通することができ、さらに挟枠４００の底板４２０と共に、信号線５０の端子５１を挟んで固定する。こうして、信号(或いは電流)導通の目的を達成する。端子５１の中央は、押止柱６１により貫通されるため、簡単には抜けなくなり、より安定、堅固となる。
【００１７】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００１８】
１０  台体
１１  ネジ孔
１２  側孔
１３  挿入孔
１４  収容設置室
１５  当接壁
２０  固定ネジ
２１  押止柱
３０  導電板
３１  貫通孔
４０  挟枠
４００  挟枠
４１  上板
４１０  上板
４２  底板
４２０  底板
４３  固定孔
４３０  固定孔
４４  固定孔
４４０  固定孔
５０  信号線
５１  端子
６０  導電板
６１  押止柱
７０  固定ネジ
７１  端部
８０  台体
８１  ネジ孔
８２  側孔
８３  挿入孔
８４  収容設置室
９０  固定ネジ
９１  挟枠
９２  導電板
【手続補正２】
【補正対象書類名】実用新案登録請求の範囲
【補正対象項目名】全文
【補正方法】変更
【補正の内容】
【実用新案登録請求の範囲】
【請求項１】
少なくともプラスチック台体、固定ネジ、挟枠、導電板を備え、
前記プラスチック台体の上方には、少なくとも１個のネジ孔を設置し、後方には、１個の側孔を設置し、前方には、信号線を挿入するための１個の挿入孔を設置し、下方には、比較的広い１個の収容設置室を設置し、
前記収容設置室と前記ネジ孔との間には、当接壁を形成し、
前記固定ネジは、末端に突出した押止柱を設置し、前記固定ネジは、前記ネジ孔から前記当接壁を貫通し、前記収容設置室中に進入し、
前記挟枠は、本体の上、下端に各１個の固定孔を備える上板、底板をそれぞれ設置し、前記固定ネジの末端は、前記挟枠の頂点部の固定孔に入り、しかも前記ネジ孔内において旋回すると、前記挟枠は上方或いは下方へと移動し、
前記導電板の一端は、前記台体の側孔から、前記挟枠内へと進入し、前記固定ネジは、前記押止柱により、前記導電板の貫通孔を貫通し、しかも前記導電板下方と前記挟枠の底部との間は、前記台体の挿入孔とちょうど対応することを特徴とする端子台。
【請求項２】
前記台体のネジ孔、側孔、挿入孔、収容設置室の数は同一であることを特徴とする請求項１に記載の端子台。
【請求項３】
前記挟枠は、コの字が伏せたような形状を呈することを特徴とする請求項１に記載の端子台。
【請求項４】
少なくともプラスチック台体、固定ネジ、挟枠、導電板を備え、
前記プラスチック台体の上方には、少なくとも１個のネジ孔を設置し、後方には、１個の側孔を設置し、前方には、信号線を挿入するための１個の挿入孔を設置し、下方には、比較的広い１個の収容設置室を設置し、
前記収容設置室と前記ネジ孔との間には、当接壁を形成し、
前記固定ネジは、前記ネジ孔から前記当接壁を貫通し、前記収容設置室中に進入し、
前記挟枠は、本体の上、下端に各１個の固定孔を備える上板、底板をそれぞれ設置し、前記固定ネジの端部は、前記挟枠の頂点部の固定孔に入り、しかも前記ネジ孔内において旋回すると、前記挟枠は上方或いは下方へと移動し、
前記導電板の一端の下方には、押止柱を設置し、前記導電板の一端により、前記台体の側孔に進入し、前記挟枠内に位置し、前記固定ネジは、端部により、前記導電板に接触し、
前記導電板下方の押止柱と前記挟枠との間は、前記台体の挿入孔とちょうど対応することを特徴とする端子台。
【請求項５】
前記台体のネジ孔、側孔、挿入孔、収容設置室の数は同一であることを特徴とする請求項４に記載の端子台。
【請求項６】
前記挟枠は、コの字が伏せたような形状を呈することを特徴とする請求項４に記載の端子台。